(57)【要約】【課題】  長大なパチンコ島を出現させるとともに、一方の島端にのみ玉計数機を設置しても玉量の偏在を起こさないパチンコ島を提供する。【解決手段】  揚送研磨塔１５を中心として構成されるパチンコ玉の自動補給装置がそれぞれに組み込まれたパチンコ島１０ａと１０ｂとを縦列に配列して長大なパチンコ島１０を形成し、島１０ａと１０ｂの隣接部に、相互間でパチンコ玉の受け渡しを可能とする流路切換手段４０を設ける。連結後のパチンコ島１０の一端には、玉計数機１４を配設する。流路切換手段４０の構成要素である複数のシャッター４１の開閉を組み合わせて流路の切り換えを実行し、パチンコ島１０における玉量のバランス調整を行う。【選択図】  図１
2008161414.tif 000002
【特許請求の範囲】
【請求項１】
パチンコ玉の揚送手段と、揚送されたパチンコ玉をパチンコ機や玉貸出機に補給する補給手段と、島端で該補給手段から流下するパチンコ玉を受け入れて回収する回収手段とを備えたパチンコ玉の自動補給装置が組み込まれたパチンコ島であって、
前記自動補給装置に基づいて形成される複数の独立したパチンコ島を、その島端同士を隣接させた状態で縦列配置するとともに、隣接するパチンコ島の相互間でパチンコ玉の受け渡しを可能とする流路切換手段が前記補給手段と前記回収手段との間に付設されていることを特徴とするパチンコ島。
【請求項２】
前記流路切換手段は、隣接するパチンコ島のそれぞれに設けられた前記補給手段のうち少なくとも一方から島端で流下するパチンコ玉を受け入れたのち双方のパチンコ島に分配する振分手段と、該振分手段より上流側のパチンコ玉の流路に設けられる第１のシャッターと、この振分手段の下流側に形成される２つの流路のどちらか一方を閉塞可能とする第２のシャッターとによって構成されることを特徴とする請求項１に記載のパチンコ島。
【請求項３】
前記流路切換手段は、隣接するパチンコ島のそれぞれに設けられた前記補給手段から島端で流下するパチンコ玉を一ヶ所に受け入れたのち双方のパチンコ島に分配する振分手段と、この振分手段によって形成される２つの流路のそれぞれを閉塞可能とするシャッターとによって構成されることを特徴とする請求項１に記載のパチンコ島。
【請求項４】
前記流路切換手段は、隣接するパチンコ島のそれぞれに設けられた前記補給手段から島端で流下するパチンコ玉を隣接する相手島に送出するパチンコ玉流下管と、該パチンコ玉流下管を流下するパチンコ玉の流れを止めるシャッターとによって構成されることを特徴とする請求項１に記載のパチンコ島。
【請求項５】
前記流路切換手段は、前記パチンコ島に設けられた前記補給手段から島端で流下するパチンコ玉を自島および隣接する相手島に送出する２本のパチンコ玉流下管と、該パチンコ玉流下管を流下するパチンコ玉の流れを個別に止めるシャッターとによって構成されることを特徴とする請求項１に記載のパチンコ島。
【請求項６】
複数縦列させた前記パチンコ島の一端に玉計数機が配設されていることを特徴とする請求項１〜請求項５のいずれか１項に記載のパチンコ島。
【発明の詳細な説明】
【技術分野】
【０００１】
本発明は、パチンコ玉の自動補給装置を装備した複数のパチンコ島を縦列に隣接配置して構成される長大なパチンコ島に関する。
【背景技術】
【０００２】
周知のように、パチンコ玉の自動補給装置は、パチンコ玉を循環させながらパチンコ機や玉貸出機に対してパチンコ玉を自動的に供給するためにパチンコ島に組み込まれる装置である。この自動補給装置は、たとえば、パチンコ島の下部に設置された貯留タンクからパチンコ玉を上方に揚送するための揚送手段、揚送したパチンコ玉を各パチンコ機や玉貸出機に配給するためにパチンコ島の上部に設けられる補給手段、揚送したものの余剰玉としてオーバーフローするパチンコ玉を流下させるときの通路となるパチンコ玉流下管、配給に使用されないままに補給手段の端部より流下するパチンコ玉の通路となるパチンコ玉流下管、これらのパチンコ玉流下管および各パチンコ機から排出されるパチンコ玉を貯留タンクに回収して揚送手段に送り込むためにパチンコ島の下部に設けられる回収手段などによって構成されている。
【０００３】
パチンコ玉の自動補給装置が装備されたパチンコ島の代表的なものに、中央部に設置した揚送手段とその左右両翼に形成させたパチンコ玉の循環機構を一つの独立したパチンコ島として構成させたものがある。そして、この種の循環機構に使用される補給用パチンコ玉の補給手段として代表的なものは、揚送手段によって揚送したパチンコ玉を島端に向かって下り勾配となる傾斜面を利用して転動させるというものである。同様に、傾斜面を利用した搬送方法は、回収手段にも採用されている。
【０００４】
このような傾斜を利用した搬送方法は、パチンコ玉が転動できる勾配を確保するための高低差が必要であり、そのために、島の長さが制限される。特許文献１に開示されたユニット式遊技島は、従来以上に長さの長いパチンコ島を形成する場合の解決方法の一つを提示している。ただし、このユニット式遊技島は、低コストにて形成できる遊技島の提供を目的としたもので、長大化を目的とするには不都合もある。
【０００５】
【特許文献１】特開２０００−５１５０３号公報（図４〜図６参照）
【発明の開示】
【発明が解決しようとする課題】
【０００６】
複数の単独島を縦に連結して一つの長大なパチンコ島として形成する場合に、元の単独島ごとに玉計数機が付設される従来仕様に従えば、連結させて一体となったパチンコ島の両島端に玉計数機を設置することとなり、パチンコ島内に別途組み込まれる紙幣搬送装置の金庫などとの干渉が問題となる。連結したパチンコ島の一端にだけ玉計数機を設置することで、このような事態は回避することができるが、この場合は、玉計数機に投入され、計数を終えて島内に戻されるパチンコ玉によって、玉計数機が設置された側のパチンコ島に玉の保有量が偏ることとなる。
【０００７】
一方、特許文献１に記載されたユニット式のパチンコ島は、長大なパチンコ島の出現を可能とするものであるが、島の長さがユニット単位に限定されるので、島の長さ設定、揚送手段の設置位置や設置台数などに対する自由度が制限されるという問題がある。また、このパチンコ島は、ユニット式であるが故に、揚送手段から離間した位置に設けた上部貯留タンクの開口部から補給用のパチンコ玉を流下させるという構成をとっており、均一な貯留がなされるように、上部貯留タンクの傾斜面を階層状に形成させるなどの工夫を凝らしている。しかしながら、このような仕組みは煩雑なうえ、全体的に多層構造であるだけに、パチンコ島の高さを低く抑えたいとする要請には適しない。
【課題を解決するための手段】
【０００８】
本発明は、上記の如き課題に鑑みなされたもので、請求項１に記載の発明は、パチンコ玉の揚送手段と、揚送されたパチンコ玉をパチンコ機や玉貸出機に補給する補給手段と、島端で該補給手段から流下するパチンコ玉を受け入れて回収する回収手段とを備えたパチンコ玉の自動補給装置が組み込まれたパチンコ島であって、前記自動補給装置に基づいて形成される複数の独立したパチンコ島を、その島端同士を隣接させた状態で縦列配置するとともに、隣接するパチンコ島の相互間でパチンコ玉の受け渡しを可能とする流路切換手段が前記補給手段と前記回収手段との間に付設されていることを特徴とするパチンコ島である。
【０００９】
このような構成によって、縦列配置させた複数の単独島の島同士が隣接するそれぞれの島端において、島間でパチンコ玉の往来が可能となるうえ、流路切換手段を適宜切り換えることにより、それぞれの単独島が保有する玉量をバランス制御して均等化を図ることができるようになる。
【００１０】
また、請求項２に記載の発明は、前記流路切換手段は、隣接するパチンコ島のそれぞれに設けられた前記補給手段のうち少なくとも一方から島端で流下するパチンコ玉を受け入れたのち双方のパチンコ島に分配する振分手段と、該振分手段より上流側のパチンコ玉の流路に設けられる第１のシャッターと、この振分手段の下流側に形成される２つの流路のどちらか一方を閉塞可能とする第２のシャッターとによって構成されることを特徴とするパチンコ島である。
【００１１】
このような構成によって、隣接するパチンコ島の双方または一方からパチンコ玉を受け入れ、振分手段によって上流側に形成される２つの流路の一方を閉塞可能とするたとえば揺動式の第２のシャッターを切り換えることによって、隣接するパチンコ島の一方に選択的にパチンコ玉を送出する形式の玉量の均等化手段とすることができる。また、隣接するパチンコ島の双方の第１のシャッターを同時に閉じれば、必要時にはパチンコ玉の循環を停止させることができる。
【００１２】
また、請求項３に記載の発明は、前記流路切換手段は、隣接するパチンコ島のそれぞれに設けられた前記補給手段から島端で流下するパチンコ玉を一ヶ所に受け入れたのち双方のパチンコ島に分配する振分手段と、この振分手段によって形成される２つの流路のそれぞれを閉塞可能とするシャッターとによって構成されることを特徴とするパチンコ島である。
【００１３】
このような構成によって、隣接するパチンコ島の双方からパチンコ玉を受け入れ、振分手段によって形成される２つの流路の双方または一方を閉塞可能とするシャッターの作動によって、隣接するパチンコ島の双方または一方に選択的にパチンコ玉を送出する形式の玉量の均等化手段とすることができる。また、これらのシャッターを同時に閉じれば、必要時にはパチンコ玉の循環を停止させることができる。
【００１４】
また、請求項４に記載の発明は、前記流路切換手段は、隣接するパチンコ島のそれぞれに設けられた前記補給手段から島端で流下するパチンコ玉を隣接する相手島に送出するパチンコ玉流下管と、該パチンコ玉流下管を流下するパチンコ玉の流れを止めるシャッターとによって構成されることを特徴とするパチンコ島である。
【００１５】
このような構成によって、単独島の連結によって形成される長大なパチンコ島が、あたかも全体が元からある一つのパチンコ島であるかのようにパチンコ玉が循環する形式の玉量の均等化手段とすることができる。そのうえでなおも単独島が保有する玉量に偏りが生じる場合には、隣接するパチンコ島のそれぞれに設けられるシャッターの一方を閉じることによって、玉量の均等化を促進させることができる。さらに、双方のシャッターを同時に閉じれば、必要時にはパチンコ玉の循環を停止させることができる。
【００１６】
また、請求項５に記載の発明は、前記流路切換手段は、前記パチンコ島に設けられた前記補給手段から島端で流下するパチンコ玉を自島および隣接する相手島に送出する２本のパチンコ玉流下管と、該パチンコ玉流下管を流下するパチンコ玉の流れを個別に止めるシャッターとによって構成されることを特徴とするパチンコ島である。
【００１７】
このような構成によって、流下するパチンコ玉を自島または相手島あるいは両方のパチンコ島に選択的に送出する形式の玉量の均等化手段とすることができる。また、これらのシャッターを同時に閉じれば、必要時にはパチンコ玉の循環を停止させることができる。
【００１８】
さらに、請求項６に記載の発明は、複数縦列させた前記パチンコ島の一端に玉計数機が配設されていることを特徴とするパチンコ島である。
【００１９】
本発明のパチンコ島は、従来形の独立したパチンコ島を連結して構成した長大なパチンコ島であっても、連結部分に形成させた流路切換手段によって各島が保有する玉量の均等化が図られるので、パチンコ島の一端にだけ玉計数機を設置することによる玉量の偏在を防ぐことができる。
【発明の効果】
【００２０】
本発明のパチンコ島は、従来の独立したパチンコ島以上に高さを高くすることなく、あたかも一体物であるかの如く機能する長大なパチンコ島として形成することができる。ユニット形式と異なり、パチンコ島の長さに制約を受けることもない。島の高さが低く抑えられることで、見通しの良い圧迫感のない遊技ホールとすることができる。また、遊技ホールに配置された複数のパチンコ島の島間での玉量の調整を、島の上部に架け渡したり、天井に這わせたりした玉渡し通路によって行う従来の方法と比較すると、本発明のパチンコ島にはこのような通路がないので、外観上も優れたものとなっている。また、玉詰まりなどのトラブルに関わる保守・点検作業も容易である。
【００２１】
長大なパチンコ島の一端にだけ玉計数機を設置することで、同一島内に別途装備される紙幣搬送装置の金庫などとの干渉問題が起きない。単独のパチンコ島ごとに玉計数機を付帯させる従来の態様と比較すると、遊技ホール全体の玉計数機の設置台数が大幅に削減できるので、経済的である。設置台数が少ないうえに、玉計数機の設置を各島の同じ側に揃えることができるので、特に不正行為の攻撃対象となりやすい玉計数機に対して、監視の目が届きやすくなる。
【発明を実施するための最良の形態】
【００２２】
次に、本発明の実施の一形態について、図を参照しながら説明する。まず、図１に例示するパチンコ島１０は、パチンコ島１０ａの右端とパチンコ島１０ｂの左端とを隣接させた状態で縦列配置させたものである。パチンコ島１０ａおよび１０ｂは、それぞれがパチンコ玉の自動補給装置を備え、従来の独立したパチンコ島としての機能を有している。なお、この発明において、このような独立形式のパチンコ島の連結数は、本実施例の２島に限定されるものではない。
【００２３】
パチンコ島１０ａ，１０ｂは、複数のパチンコ機１１と台間玉貸出機１２とを並置し、図では明らかでないが、さらにそれらを背向配置して表裏両面からゲームを行うことができるようにした両面島として形成されたものである。連結されたパチンコ島１０の両端は妻板１３によって閉塞され、一方の妻板１３には、玉計数機１４がその背面を妻板１３に当面するように設置されている。
【００２４】
パチンコ島１０ａ，１０ｂのそれぞれに組み込まれる自動補給装置は、以下の如き装置類によって構成されている。すなわち、パチンコ島１０ａおよび１０ｂの中央部にはそれぞれに揚送研磨塔１５が立設され、その上部には上部貯留タンク１６が配設されている。また、揚送研磨塔１５内には、パチンコ玉を研磨しながら揚送する揚送研磨装置１７が収容されている。上部貯留タンク１６からは、パチンコ島１０ａ，１０ｂそれぞれの左右両翼に沿って、上部貯留タンク１６から送出されるパチンコ玉を各パチンコ機１１や玉貸出機１２に供給するための補給樋１８が、パチンコ玉が転動するための緩やかな下り勾配を有して延設されている。この補給樋１８は、後述する補給シュートとともに補給手段を構成するもので、パチンコ機１１と台間玉貸出機１２へのパチンコ玉の補給を目的とするものである。この補給手段は、両面島の表裏両側から設けた幕板１９によって、外部から隠蔽されている。
【００２５】
パチンコ島１０の両端部には、補給樋１８の下端部と連通してパチンコ玉を島の下部へと還流させるためのパチンコ玉流下管の一つであるエンドホース２０が配設されている。パチンコ島１０ａと１０ｂとの隣接部には、流路切換機構を介して島の上部から下部へとパチンコ玉を還流させる流路切換手段４０が配設されている。揚送研磨塔１５の両サイドには、補給樋１８に流出することなく上部貯留タンク１６より溢れ出たパチンコ玉を下部に逃がすためのパチンコ玉流下管の一つであるオーバーフローホース２１が配設されている。また、玉計数機１４の背後には、遊技客が計数のために投入したパチンコ玉を計数処理終了後に排出するための排出口２２が設けられている。
【００２６】
本実施例において、パチンコ玉の回収・搬送・貯留を行うために島の下部に設置される回収手段の一部を構成する下部貯留タンクは、単独島の片翼に２槽のタンク構造としている。第１下部貯留タンク２３は、エンドホース２０および流路切換手段４０を流下するパチンコ玉を受け入れる。さらに、図１の右端に示される第１下部貯留タンク２３については、玉計数機１４の排出口２２より排出されるパチンコ玉も受け入れる。また、第２下部貯留タンク２４は、オーバーフローホース２１を流下するパチンコ玉および第１下部貯留タンク２３から送られてくるパチンコ玉を受け入れる。
【００２７】
第１下部貯留タンク２３の底板２５は、単独島の中央部に向かう緩やかな下り勾配を有して形成されている。そして、底板２５の傾斜最下端に堆積したパチンコ玉は、バケット式のリフター２６によって上方に汲み上げられて、樋の底板２５が同じような緩やかな下り勾配に形成されたアウトレール２７に放出される。放出されたパチンコ玉は、アウトレール２７を転動して、第２下部貯留タンク２４に流下する。このようにリフター２６を仲介させることにより、単独島であってもある程度の長さを有したスロット島１０ａおよび１０ｂとして構成することができる。なお、回収手段が受け入れるパチンコ玉には、既述のほかにも、遊技客が各パチンコ機１１に投入し、そののち排出されるものがある。このようなパチンコ玉は、回収手段を構成する貯留タンク２３，２４およびアウトレール２７のいずれかに落下するようになっている。
【００２８】
揚送研磨装置１７の最下部には導入樋２８が付設されており、その両端部は、第２下部貯留タンク２４の底板２５の最下端と連通している。この導入樋２８は、第２下部貯留タンク２４から送出されるパチンコ玉を中央部に集合させ、内部に形成された整列溝でもって整列させてから、揚送研磨装置１７に送り込むものである。揚送研磨装置１７は、上下２本の水平ローラ間に張架させた平ベルトからなる無端ベルト２９と、蝶番によって手前方に開閉自在に装着された揚送研磨塔１５の前扉（図示せず）とが、前扉を閉じた状態において所定の間隙を有して対面するように構成されている。前扉の裏面には、多数の縦溝からなる研磨溝が条設され、さらにこの研磨溝を覆うように研磨布が装着されている。パチンコ玉は、下から上へと周回する無端ベルト２９と、研磨布を介した研磨溝とによって挟持されながら上方へ搬送される。パチンコ玉は、この揚送途中で研磨布によって汚れが拭い取られて、揚送研磨装置１７の上部にて放出される。
【００２９】
放出されたパチンコ玉は、上部貯留タンク１６に貯留される。この上部貯留タンク１６の底部は、パチンコ島１０ａ，１０ｂの両翼に向かって下り傾斜を有する補給玉分流底板３０によって形成されており、タンク内に貯留されたパチンコ玉は、補給玉分流底板３０により左右に振り分けられて、補給樋１８に流出する。補給樋１８には、各パチンコ機１１や玉貸出機１２に対応して補給シュート３１が付設されており、下流に向かう途中のパチンコ玉を取り込んで整列させ、補給シュート３１に接続されている図示しない補給パイプを通じて、パチンコ機１１内のタンクや玉貸出機１２内のホッパータンクにパチンコ玉を供給する。一方、補給玉として利用されなかったパチンコ玉は、補給樋１８の下端部まで転動したのち、エンドホース２０または流路切換手段４０を通じて、第１下部貯留タンク２３に流下する。
【００３０】
上部貯留タンク１６の内部には、オーバーフロー玉取込管３２が、取込口を上方に向けた状態で下方から突設されている。すなわち、上部貯留タンク１６のパチンコ玉貯留容量は、取込口の高さ位置によって決定される。パチンコ玉の流入量が流出量を上回り、上部貯留タンク１６のパチンコ玉貯留量が取込口を越えるようになると、オーバーフロー玉取込管３２の中に落下する。オーバーフロー玉取込管３２の直下には、パチンコ島１０の左右両翼に向かって下り傾斜を有するオーバーフロー玉分流樋３３が配設され、その両端部はオーバーフローホース２１に連通している。落下するパチンコ玉は、オーバーフロー玉分流樋３３によって左右に振り分けられて、オーバーフローホース２１を通じて第２下部貯留タンク２４に貯留される。
【００３１】
次に、上記のように構成されたパチンコ玉の循環システムが組み込まれたパチンコ島１０において、パチンコ島１０ａと１０ｂとの間に配設される流路切換手段４０の詳細について、図２〜図８を参照しながら説明する。
【００３２】
まず、本実施例に使用されているシャッターには、遮断片を玉通路に進入させて流路を遮断するタイプのものと、揺動片の先端を揺動させて流路を切り換えるタイプのものとがある。これらのシャッターは、モータやソレノイドなどを駆動源として作動される。そして、このようなシャッターの作動は、上部貯留タンク１６，補給玉分流底板３０，第１下部貯留タンク２３，アウトレール２７，第２下部貯留タンク２４などの適所に装着された玉量検知センサによる検知情報に基づいて、パチンコ島１０を管理する島管理制御部による玉量バランス制御のもとに実行される。
【００３３】
図２は、遮断片を玉通路に進入させるタイプのシャッター４１に関して、その構造の一例を説明する斜視図である。シャッター４１の遮断片４２は、四角形平板状をなし、ガイド溝４３によって上下に摺動可能に保持されている。遮断片４２には水平方向に長穴４４が穿設されており、アームに支持されたピン４５が、この長穴４４に嵌挿するように組み付けられる。そして、ピン４５がモータＭの駆動によって回転軸４６の周りを旋回することにより、ピン４５が長穴４４内を往復移動すると同時に、遮断片４２が、ピストンのように上下に摺動するようになっている。
【００３４】
遮断片４２の一側には突起４７が設けられ、下方に向けて装着された閉鎖用センサの先端４８（矢印のみにて示す）が突起４７と接触することで、遮断片４２が上方に摺動して玉通路が閉鎖された状態にあることが認識される。一方、遮断片４２の下方には、先端４９（矢印のみにて示す）を上方に向けた開放用センサが配設され、遮断片４２の下端部との下方からの接触によって、遮断片４２が下方に摺動して玉通路が開放された状態にあることが認識される。
【００３５】
（請求項２に係る実施例）図３に示す流路切換手段４０は、パチンコ島１０ａ，１０ｂの流下口部となる双方の補給樋１８の末端近傍に、遮断タイプの第１のシャッター４１を備えている。そして、これらの第１シャッター４１の作動によって、補給樋１８のパチンコ玉流路を閉鎖するか開放するかが選択される。補給樋１８の流下口には、パチンコ玉流下管である副ホース５０が連結されている。パチンコ島１０ａ，１０ｂのそれぞれの補給樋１８から流出して副ホース５０を通じて流下するパチンコ玉は、振分手段５１を構成する分流タンク５２に一同に貯留される。
【００３６】
分流タンク５２の底面は、左右に下り勾配を有する分流底板５３によって形成されている。そして、分流底板５３の傾斜に沿って、分流樋５４が形成されている。分流樋５４の左右の下端部にはパチンコ玉流下管である主ホース５５が接続されている。この主ホース５５の先端は、それぞれ自島の第１下部貯留タンク２３に向けられている。さらに、分流底板５３の分岐部には揺動タイプの第２のシャッター４１が装着され、この第２のシャッター４１の作動によって、左右の分流樋５４のどちらか一方を閉鎖し、他方を開放するべく選択できるようになっている。
【００３７】
このような構成によって、隣接するパチンコ島１０ａ，１０ｂの双方または一方からパチンコ玉を受け入れ、振分手段５１によって形成される左右の分流樋５４の一方を閉塞し他方を開放する揺動式の第２のシャッター４１を切り換えることによって、隣接するパチンコ島１０ａ，１０ｂのどちらか一方に選択的にパチンコ玉を送出する形式の玉量の均等化手段とすることができる。また、補給樋１８の流下口部にある第１のシャッター４１を同時に閉じれば、必要時にはパチンコ玉の循環を停止させることができる。
【００３８】
（請求項３に係る実施例）図４に示す流路切換手段４０は、パチンコ島１０ａ，１０ｂ双方の補給樋１８の流下口に連結されたパチンコ玉流下管である副ホース５０を備えている。そして、補給樋１８から流出して副ホース５０を通じて流下するパチンコ玉は、振分手段５１を構成する分流タンク５２に一同に貯留される。
【００３９】
分流タンク５２の底面は、左右に下り勾配を有する分流底板５３によって形成されている。そして、分流底板５３の傾斜に沿って、分流樋５４が形成されている。分流樋５４の左右の下端部にはパチンコ玉流下管である主ホース５５が接続されている。この主ホース５５の先端は、それぞれ自島側の第１下部貯留タンク２３に向けられている。さらに分流樋５４には、左右それぞれに遮断タイプのシャッター４１が装着され、このシャッター４１の作動によって、パチンコ玉の流路を閉鎖または開放するべく選択できるようになっている。
【００４０】
このような構成によって、隣接するパチンコ島１０ａ，１０ｂの双方からパチンコ玉を受け入れ、振分手段５１によって形成される左右の分流樋５４に装着されたシャッター４１を作動させることによって、隣接するパチンコ島１０ａ，１０ｂの双方または一方に選択的にパチンコ玉を送出する形式の玉量の均等化手段とすることができる。また、２つのシャッター４１を同時に閉じれば、必要時にはパチンコ玉の循環を停止させることができる。
【００４１】
（請求項４に係る実施例）図５に示す流路切換手段４０は、パチンコ島１０ａ，１０ｂ双方の補給樋１８の末端近傍に、遮断タイプのシャッター４１を備えている。補給樋１８の流下口には、パチンコ玉流下管である主ホース５５が連結されている。この主ホース５５の先端は、それぞれ相手島の第１下部貯留タンク２３に向けられている。そして、これらのシャッター４１の作動に従って、主ホース５５へのパチンコ玉の送出を実行するか停止するかが選択される。なお、シャッター４２は、この実施例に限定されず、たとえば主ホース５５の中間部や下端部に設けたものであってもよい。
【００４２】
このような構成によって、単独のパチンコ島１０ａと１０ｂとの連結によって形成される長大なパチンコ島１０が、あたかも元から一つのパチンコ島１０であるかのように全島をパチンコ玉が循環する形式の玉量の均等化手段とすることができる。そのうえでなおも単独島１０ａ，１０ｂが保有する玉量に偏りが生じる場合には、パチンコ島１０ａ，１０ｂのそれぞれに設けられるシャッター４１の一方を閉じることによって、玉量の均等化を促進させることができる。また、双方のシャッター４１を同時に閉じれば、必要時にはパチンコ玉の循環を停止させることができる。
【００４３】
（請求項５に係る実施例）図６に示す流路切換手段４０は、パチンコ島１０ａ，１０ｂ双方の補給樋１８の流下口に連結され、流下するパチンコ玉を自島および隣接する相手島に送出するパチンコ玉流下管である２本の主ホース５５をそれぞれに備えている。また、各補給樋１８の末端近傍には、主ホース５５へのパチンコ玉の送出を実行するか停止するかを個別に選択することのできるシャッター４１が配設されている。なお、シャッター４２は、この実施例に限定されず、たとえば主ホース５５の中間部や下端部に設けたものであってもよい。
【００４４】
図７は、補給樋１８にシャッター４１を設けたときの平面図を示すもので、遮断タイプのシャッター４１がパチンコ玉の４本の流路に対してそれぞれ傾斜して設けられている。パチンコ玉は、シャッター４１の開放された流路を抜けて、その下流に備えた主ホース５５に流下する。また、図８は、補給樋１８にシャッター４１を装着させた他の場合の平面図を示すもので、遮断タイプのシャッター４１と、その下流に配設された揺動タイプのシャッター４１とを組み合わせたものである。遮断タイプのシャッター４１は、補給樋１８の全幅に渡る流路の閉塞を可能とし、揺動タイプのシャッター４１は、パチンコ玉の流下先を２本の主ホース５５のどちらにとるかが選択可能に形成されている。
【００４５】
このような構成において、各シャッター４１の作動を適宜組み合わせることにより、パチンコ島１０ａ，１０ｂそれぞれを流下するパチンコ玉を自島または相手島あるいは両方のパチンコ島に選択的に送出する形式の玉量の均等化手段とすることができる。また、これらのシャッター４１を同時に閉じれば、必要時にはパチンコ玉の循環を停止させることができる。
【００４６】
以上のように、複数のパチンコ島１０ａ，１０ｂを縦列させて構成した長大なパチンコ島１０に対して、その一端にのみ玉計数機１４を設置したとしても、島の連結部分に形成させた流路切換手段４０によって島間の玉量のバランス調整が行われるので、玉量が均等化され、玉量の偏在を予防することができるようになる。
【図面の簡単な説明】
【００４７】
【図１】本発明パチンコ島の外観を示す正面図である。
【図２】遮断タイプのシャッターの仕組みの一例を示す斜視図である。
【図３】流路切換手段の一実施例を示す正面図である。
【図４】流路切換手段の一実施例を示す正面図である。
【図５】流路切換手段の一実施例を示す正面図である。
【図６】流路切換手段の一実施例を示す正面図である。
【図７】図６に示す流路切換手段の平面図である。
【図８】図６に相当する流路切換手段の他の実施例を示す平面図である。
【符号の説明】
【００４８】
１０，１０ａ，１０ｂ  パチンコ島
１１  パチンコ機
１２  玉貸出機
１４  玉計数機
１５  揚送研磨塔
１６  上部貯留タンク
１８  補給樋（補給手段）
２０  エンドホース（パチンコ玉流下管）
２１  オーバーフローホース（パチンコ玉流下管）
２３  第１下部貯留タンク（回収手段）
２４  第２下部貯留タンク（回収手段）
２５  底板
２６  リフター（回収手段）
２７  アウトレール（回収手段）
３１  補給シュート（補給手段）
４０  流路切換手段
４１  シャッター
４２  遮断片
５０  副ホース
５１  振分手段
５２  分流タンク
５４  分流樋
５５  主ホース
【図１】
2008161414.tif 000003
【図２】
2008161414.tif 000004
【図３】
2008161414.tif 000005
【図４】
2008161414.tif 000006
【図５】
2008161414.tif 000007
【図６】
2008161414.tif 000008
【図７】
2008161414.tif 000009
【図８】
2008161414.tif 000010